【手続補正書】
【提出日】平成18年5月29日(2006.5.29)
【手続補正１】
【補正対象書類名】明細書
【補正対象項目名】特許請求の範囲
【補正方法】変更
【補正の内容】
【特許請求の範囲】
【請求項１】
発光素子と、
前記発光素子に供給される電流の値を制御する第１のトランジスタと、
前記発光素子への前記電流の供給の有無を選択する第２のトランジスタと、
信号線と、
前記信号線と前記第２のトランジスタが有するゲートとの間の接続を制御する第３のトランジスタ及び第４のトランジスタと、
を各画素に有し、
前記第３のトランジスタと、前記第４のトランジスタのスイッチングは、別個に制御されることを特徴とする発光装置。
【請求項２】
発光素子と、
前記発光素子に供給される電流の値を制御する第１のトランジスタと、
前記発光素子への前記電流の供給の有無を選択する第２のトランジスタと、
信号線と、
第１走査線と、
第２走査線と、
前記信号線と前記第２のトランジスタが有するゲートとの間の接続を制御する第３のトランジスタ及び第４のトランジスタと、
を有する画素が複数設けられ、
前記第３のトランジスタが有するゲートは、前記第１走査線に接続されており、
前記第４のトランジスタが有するゲートは、前記第２走査線に接続されており、
前記複数の画素のうち、前記信号線を共有している画素は、前記第２走査線を共有しており、前記第１走査線を共有している画素は、互いに異なる前記信号線を有していることを特徴とする発光装置。
【請求項３】
発光素子と、
前記発光素子に供給される電流の値を制御する第１のトランジスタと、
前記発光素子への前記電流の供給の有無を選択する第２のトランジスタと、
信号線と、
前記信号線と前記第２のトランジスタが有するゲートとの間の接続を制御する第３のトランジスタ及び第４のトランジスタと、
を各画素に有し、
前記第３のトランジスタと、前記第４のトランジスタのスイッチングは、別個に制御され、
第１の電源と前記発光素子との間に、前記第１のトランジスタ及び前記第２のトランジスタが直列に接続され、
前記第１のトランジスタが有するゲートは第２の電源に接続されていることを特徴とする発光装置。
【請求項４】
発光素子と、
前記発光素子に供給される電流の値を制御する第１のトランジスタと、
前記発光素子への前記電流の供給の有無を選択する第２のトランジスタと、
信号線と、
第１走査線と、
第２走査線と、
前記信号線と前記第２のトランジスタが有するゲートとの間の接続を制御する第３のトランジスタ及び第４のトランジスタと、
を有する画素が複数設けられ、
前記第３のトランジスタが有するゲートは、前記第１走査線に接続されており、
前記第４のトランジスタが有するゲートは、前記第２走査線に接続されており、
前記複数の画素のうち、前記信号線を共有している画素は、前記第２走査線を共有しており、前記第１走査線を共有している画素は、互いに異なる前記信号線を有しており、
第１の電源と前記発光素子との間に、前記第１のトランジスタ及び前記第２のトランジスタが直列に接続され、
前記第１のトランジスタが有するゲートは第２の電源に接続されていることを特徴とする発光装置。
【請求項５】
発光素子と、
前記発光素子に供給される電流の値を制御する第１のトランジスタと、
前記発光素子への前記電流の供給の有無を選択する第２のトランジスタと、
信号線と、
前記信号線と前記第２のトランジスタが有するゲートとの間の接続を制御する第３のトランジスタ及び第４のトランジスタと、
を各画素に有し、
前記第３のトランジスタと、前記第４のトランジスタのスイッチングは、別個に制御され、
電源と前記発光素子との間に、前記第１のトランジスタ及び前記第２のトランジスタが直列に接続され、
前記第１のトランジスタが有するゲートは前記電源に接続されていることを特徴とする発光装置。
【請求項６】
発光素子と、
前記発光素子に供給される電流の値を制御する第１のトランジスタと、
前記発光素子への前記電流の供給の有無を選択する第２のトランジスタと、
信号線と、
第１走査線と、
第２走査線と、
前記信号線と前記第２のトランジスタが有するゲートとの間の接続を制御する第３のトランジスタ及び第４のトランジスタと、
を有する画素が複数設けられ、
前記第３のトランジスタが有するゲートは、前記第１走査線に接続されており、
前記第４のトランジスタが有するゲートは、前記第２走査線に接続されており、
前記複数の画素のうち、前記信号線を共有している画素は、前記第２走査線を共有しており、前記第１走査線を共有している画素は、互いに異なる前記信号線を有しており、
電源と前記発光素子との間に、前記第１のトランジスタ及び前記第２のトランジスタが直列に接続され、
前記第１のトランジスタが有するゲートは前記電源に接続されていることを特徴とする発光装置。
【請求項７】
発光素子と、
前記発光素子に供給される電流の値を制御する第１のトランジスタと、
前記発光素子への前記電流の供給の有無を選択する第２のトランジスタと、
信号線と、
前記信号線と前記第２のトランジスタが有するゲートとの間の接続を制御する第３のトランジスタ及び第４のトランジスタと、
を各画素に有し、
前記第３のトランジスタと、前記第４のトランジスタのスイッチングは、別個に制御され、
電源と前記発光素子との間に、前記第１のトランジスタ及び前記第２のトランジスタが直列に接続され、
前記第１のトランジスタが有するゲートと、前記第２のトランジスタが有するゲートは、接続されていることを特徴とする発光装置。
【請求項８】
発光素子と、
前記発光素子に供給される電流の値を制御する第１のトランジスタと、
前記発光素子への前記電流の供給の有無を選択する第２のトランジスタと、
信号線と、
第１走査線と、
第２走査線と、
前記信号線と前記第２のトランジスタが有するゲートとの間の接続を制御する第３のトランジスタ及び第４のトランジスタと、
を有する画素が複数設けられ、
前記第３のトランジスタが有するゲートは、前記第１走査線に接続されており、
前記第４のトランジスタが有するゲートは、前記第２走査線に接続されており、
前記複数の画素のうち、前記信号線を共有している画素は、前記第２走査線を共有しており、前記第１走査線を共有している画素は、互いに異なる前記信号線を有しており、
電源と前記発光素子との間に、前記第１のトランジスタ及び前記第２のトランジスタが直列に接続され、
前記第１のトランジスタが有するゲートと、前記第２のトランジスタが有するゲートは、接続されていることを特徴とする発光装置。
【請求項９】
発光素子と、
前記発光素子に供給される電流の値を制御する第１のトランジスタと、
前記発光素子への前記電流の供給の有無を選択する第２のトランジスタと、
信号線と、
第１乃至第４走査線と、
前記信号線と前記第２のトランジスタが有するゲートとの間の接続を制御する第３のトランジスタ及び第４のトランジスタと、
第５のトランジスタと、
を有する画素が複数設けられ、
前記第３のトランジスタが有するゲートは、前記第１走査線に接続されており、
前記第４のトランジスタが有するゲートは、前記第２走査線に接続されており、
前記第１のトランジスタが有するゲートは、前記第３走査線に接続されており、
前記第５のトランジスタが有するゲートは、前記第４走査線に接続されており、
前記複数の画素のうち、前記信号線を共有している画素は、前記第２及び第４走査線を共有しており、前記第１及び第３走査線を共有している画素は、互いに異なる前記信号線を有しており、
電源と前記発光素子との間に、前記第１のトランジスタ、前記第２のトランジスタ及び前記第５のトランジスタが直列に接続されていることを特徴とする発光装置。
【請求項１０】
請求項１乃至請求項９のいずれか１項において、
前記第２のトランジスタは線形領域で動作し、前記第１のトランジスタは飽和領域で動作することを特徴とする発光装置。
【請求項１１】
請求項１乃至請求項１０のいずれか１項において、
前記第１のトランジスタと前記第２のトランジスタは同じ極性を有することを特徴とする発光装置。
【請求項１２】
請求項１乃至請求項１１のいずれか１項において、
前記発光素子が有する陽極と陰極は、前記陽極と前記陰極の間に挟まれている電界発光層において発生した光を透過することを特徴とする発光装置。
【請求項１３】
請求項１乃至請求項１２のいずれか１項に記載の発光装置を用いた電子機器。